(57)【要約】【課題】    スカートを着用した利用者が、膝を気にすることなくマッサージに専念でき、また、太ももの上部や側部にもマッサージ手段を配置することが可能な、マッサージ椅子を提供する。【解決手段】  本願発明に係るマッサージ椅子は、座部１の前方に配位せしめた膝隠し部３と、座部に対し間隔をあけて当該膝隠し部を支持する支持部材とを備える。膝隠し部３は、その後面にマッサージ手段を備えると共に、膝隠し部３の上端は、座部１の座面よりも上方に位置する。上記の膝隠し部３は、支持部材の先端部に設けられている。支持部材の基端部は、上記座部１の座面前部に回動可能に固定されたものであり、支持部材の上記の回動により、膝隠し部３を座部１の前方から座部１の上方へ変位させて、膝隠し部３の後面を座部１の座面に対向させることが可能である。【選択図】          図１
2005034544.tif 000002
【特許請求の範囲】
【請求項１】
座部と、座部後方に設けられた背もたれ部とを備え、当該座部と背もたれ部の少なくとも何れか一つにマッサージ手段が設けられたマッサージ椅子において、
座部の前方に配位せしめた膝隠し部と、座部に対し間隔をあけて当該膝隠し部を支持する支持部材とを備え、
膝隠し部は、その後面にマッサージ手段を備えると共に、膝隠し部の上端は、座部の座面よりも上方に位置し、
上記の膝隠し部は、支持部材の先端部に設けられ、
支持部材の基端部は、上記座部の座面前部に回動可能に固定されたものであり、支持部材の上記の回動により、膝隠し部を座部の前方から座部の上方へ変位させて、膝隠し部の後面を座部の座面に対向させることが可能であることを特徴とするマッサージ椅子。
【請求項２】
座部の前方に脹はぎ対応部を備え、脹はぎ対応部の基端側は座部の座面前部に対して回動可能に固定され、当該回動により、脹はぎ対応部の先端側を下方に向けた状態から椅子前方に向けた状態に変位させることが可能なことを特徴とする請求項１記載のマッサージ椅子。
【請求項３】
前記の支持部材が、上記の脹はぎ対応部を構成するものであり、
膝隠し部は、脹はぎ対応部との間に配設された間隔保持部材を介して脹はぎ対応部に固定され、脹はぎ対応部と一体となって脹はぎ対応部と共に回動するものであることを特徴とする請求項２記載のマッサージ椅子。
【請求項４】
上記の支持部材は、上記の脹はぎ対応部とは別体に形成されて座部に固定されたものであり、
膝隠し部は、支持部材の回動にて、脹はぎ対応部と独立して向きを変えることが可能なことを特徴とする請求項２記載のマッサージ椅子。
【請求項５】
膝隠し部は、脹はぎ対応部又は支持部材に対してスライド可能に固定されており、座部の上方に膝隠し部を配位させた際、上記スライドにて、膝隠し部を背もたれ部側へ、位置調整することが可能なことを特徴とする請求項３又は４記載のマッサージ椅子。
【請求項６】
膝隠し部を座部の上方へ配位することによって、膝隠し部をテーブルとして使用することが可能なことを特徴とする請求項１乃至５記載のマッサージ椅子。
【請求項７】
座部と、座部後方に設けられた背もたれ部とを備え、当該座部と背もたれ部の少なくとも何れか一つにマッサージ手段が設けられたマッサージ椅子において、
座部の前方に配位せしめた後部材と、後部材の前方に後部材に対し間隔をあけて配位せしめた前部材とを備え、
前部材と後部材の夫々の基端部は、座部の座面前部に対して回動可能に固定され、当該回動により、前部材と後部材の夫々の先端部を下方に向けた状態から椅子前方に向けた状態に変位させることが可能であり、
前部材は、その後面にマッサージ手段を備えることを特徴とするマッサージ椅子。
【発明の詳細な説明】
【技術分野】
【０００１】
本願発明は、マッサージ椅子に関するものである。
【背景技術】
【０００２】
近年、座ることによって、マッサージを受けることが可能なマッサージ椅子が普及している。
このマッサージ椅子の一般的なものは、座部の後方に角度の調整が可能な背もたれ部を設けられて、リクライニングシートとして形成されたものであり、座部や背もたれ部に、ローラの回転や振動或いは空気圧を利用して利用者の身体をマッサージするマッサージ手段を備える。
このようなマッサージ椅子には、脹（ふくら）はぎをマッサージすることができるものも見受けられる（特許文献１〜５）。
【０００３】
【特許文献１】特開平８−３３６５６５号公報
【特許文献２】特開平１１−４７２１０号公報
【特許文献３】特開２００１−１９０６２２号公報
【特許文献４】特開２００２−２１９１５５号公報
【特許文献５】特開２０００−1 ４００５３号公報
【０００４】
しかし、スカート（特に丈が膝上の短いスカート）を着用した女性が、マッサージ椅子に座した際、マッサージ椅子の前から、スカートの中が見えてしまうので、当該椅子の利用をためらうものとなっていた。これは、既存のマッサージ椅子の何れにおいても同様である。
ベンチや、電車などの座席に座る場合であれば、膝の上にハンカチを置くなどして、上記のような不都合を避けることもできるが、マッサージ椅子では、マッサージの振動などにより、ハンカチを上手く膝の上に載せ続けておくという訳にもいかない。
【０００５】
一方、既存のマッサージ椅子では、脹はぎをマッサージすることができるものは、種々提案されているが、太もも（大腿部）の、上部（起立した際の太もも正面側）や側部をマッサージすることができるものは、未だ提案されていない。
【発明の開示】
【発明が解決しようとする課題】
【０００６】
本願発明は、スカートを着用した利用者が、膝を気にすることなくマッサージに専念でき、また、太ももの上部や側部にもマッサージ手段を配置することが可能な具体的手段を備えた、マッサージ椅子を提供して、上記課題の解決を図った。
【課題を解決するための手段】
【０００７】
本願の第１の発明に係るマッサージ椅子は、座部１と、座部後方に設けられた背もたれ部２とを備え、当該座部１と背もたれ部２の少なくとも何れか一つにマッサージ手段が設けられたものについて、次の構成を採る。
即ち、座部１の前方に配位せしめた膝隠し部３と、座部に対し間隔をあけて当該膝隠し部を支持する支持部材とを備える。膝隠し部３は、その後面にマッサージ手段を備えると共に、膝隠し部３の上端は、座部１の座面よりも上方に位置する。上記の膝隠し部３は、支持部材の先端部に設けられている。支持部材の基端部は、上記座部１の座面前部に回動可能に固定されたものであり、支持部材の上記の回動により、膝隠し部３を座部１の前方から座部１の上方へ変位させて、膝隠し部３の後面を座部１の座面に対向させることが可能である。
【０００８】
本願第２の発明に係るマッサージ椅子は、上記本願第１の発明に係るマッサージ椅子にあって、座部の前方に脹はぎ対応部４を備える。脹はぎ対応部４の基端側は座部１の座面前部に対して回動可能に固定され、当該回動により、脹はぎ対応部４の先端側を下方に向けた状態から椅子前方に向けた状態に変位させることが可能なことを特徴とする。
【０００９】
本願第３の発明に係るマッサージ椅子では、上記本願第２の発明に係るマッサージ椅子にあって、前記の支持部材が、上記の脹はぎ対応部４を構成する。膝隠し部３は、脹はぎ対応部４との間に配設された間隔保持部材５を介して脹はぎ対応部４に固定され、脹はぎ対応部４と一体となって脹はぎ対応部４と共に回動するものである。
【００１０】
本願第４の発明に係るマッサージ椅子では、上記本願第２の発明に係るマッサージ椅子にあって、上記の支持部材は、上記の脹はぎ対応部４とは別体に形成されて座部１に固定されたものである。膝隠し部３は、支持部材の回動にて、脹はぎ対応部４と独立して向きを変えることが可能なことを特徴とする。
【００１１】
本願第５の発明に係るマッサージ椅子では、上記本願第３又は第４の発明に係るマッサージ椅子にあって、膝隠し部３は、脹はぎ対応部４又は支持部材に対してスライド可能に固定されており、座部１の上方に膝隠し部３を配位させた際、上記スライドにて、膝隠し部３を背もたれ部２側へ、位置調整することが可能なものである。
【００１２】
本願第６の発明に係るマッサージ椅子では、上記本願第１乃至第５の何れかの発明に係るマッサージ椅子にあって、膝隠し部を座部の上方へ配位することによって、膝隠し部をテーブルとして使用することが可能なことを特徴とする。
【００１３】
本願第７の発明に係るマッサージ椅子は、座部１と、座部１後方に設けられた背もたれ部２とを備え、当該座部１と背もたれ部２の少なくとも何れか一つにマッサージ手段が設けられたものについて次の構成を採る。
即ち、このマッサージ椅子は、座部の前方に配位せしめた後部材と、後部材の前方に後部材に対し間隔をあけて配位せしめた前部材とを備える。前部材と後部材の夫々の基端部は、座部の座面前部に対して回動可能に固定され、当該回動により、前部材と後部材の夫々の先端部を下方に向けた状態から椅子前方に向けた状態に変位させることが可能である。前部材は、その後面にマッサージ手段を備える。
上記本願第１〜７の発明では、膝隠し部３（第７の発明にあっては、前部材）がその後面に備えるマッサージ手段によって、膝の正面側から、膝やふくら脛にマッサージを行うことができる。
特に、上記本願第１〜６の発明では、座部１の前方に、その上端が座部１の座面よりも上方に位置する、膝隠し部３を配位することにより、座部１に座した者の膝の椅子正面側に対する露出を遮り、椅子前方から他者に膝や膝頭の間を見られる危惧を排除した。
また、この膝隠し部４は、その後面にマッサージ手段を備えると共に、支持部材の上記の回動により、膝隠し部３を座部１の前方から座部１の上方へ変位させ膝隠し部３の後面を座部１の座面に対向させるができる。即ち、膝隠し部３の、座部１座面よりも上方に位置する部分が、上記の回動にて、少なくとも太もも先端側上部（膝頭上部）へ配置することができる。従って、膝隠し部３が供えるマッサージ手段によって、太ももをマッサージすることができる。
特に、本願の上記第５の発明にあっては、スライドにて、膝隠し部３を背もたれ部２側へ寄せることにより、座した者の太ももの付け根側にまでマッサージ手段を届かせることができ、太ももの上部や側部をより広範にマッサージすることができる。
更に、本願第６の発明にあっては、上記の膝隠し部３をテーブルとして利用することができる。
【発明の効果】
【００１４】
本願第１乃至第７の発明の実施によって、膝隠し部が備えるマッサージ手段により、膝の正面側から膝やふくら脛にマッサージを施すことができる。
特に、本願第１乃至第６の発明の実施により、女性などスカートを着用する者が、椅子の前方から、他者に対してスカートの内側を露出するという危惧をなくし、マッサージに専念できるマッサージ椅子を提供することを可能とした。また、太もも前面や側面をマッサージすることが可能なマッサージ椅子の提供を可能とした。
【発明を実施するための最良の形態】
【００１５】
以下、図面を参照しつつ、本願発明の好ましい実施の形態について、説明する。図１、図２及び図３（Ａ）へ本願発明の一実施の形態に係るマッサージ椅子を示す。
図１（Ａ）は膝隠し部３を座部１の前方に配位させた状態を示すこのマッサージ椅子の全体斜視図であり、図１（Ｂ）はこの膝隠し部３を上方に変位された状態を示す全体斜視図である。図２（Ａ）は図１（Ａ）に示す状態のマッサージ椅子の略側面図であり、図２（Ｂ）は図１（Ｂ）に示す状態のマッサージ椅子の略側面図である。図３（Ａ）は、膝隠し部３と脹はぎ対応部４の要部を分解した状態を示す一部切欠斜視図である。
説明の便宜上、各図中、Ｕは上方を、Ｓは下方を、Ｆは前方を、Ｂは後方を、Ｒは右方を、Ｌは左方を、夫々示している。
【００１６】
図１及び図２へ示す通り、このマッサージ椅子は、座部１と、背もたれ部２と、脛隠し部３と、脹はぎ対応部４とを備えるものである。
各部の構成について、以下順に説明する。
【００１７】
座部１は、その上面を座面１０とするものであり、利用者ｐが座面１０へ腰を下ろすのに適した高さを有する。
この実施の形態において、座部１の左右には肘掛部１１，１１が設けられている。
座面１０には、周知のマッサージ手段ｍが設けられている。マッサージ手段ｍは、利用者ｐの体にマッサージ効果を与えるものであれば、周知の何れの手段を採用してもよい。例えば、ローラの回転によるもの、また振動によるもの、空気圧によって利用者ｐの体を加圧するものものなど、周知の何れの手段も採用することができる。この実施の形態において、マッサージ手段ｍには、上記の空気圧を利用したものを採用している。具体的には、袋体（エアバッグ）を空気で伸縮して、マッサージを行うものをマッサージ手段ｍとして採用している。
【００１８】
背もたれ部２は、上記の座部１の後部に設けられたものである。背もたれ部２は、座部１に対して周知のリクライニング構造ｎを用いて取り付けられており、座部１に対して角度を変えることができる。このリクライニング構造ｎについては、座部１に対して背もたれ部２の角度を変更し、当該変更した角度を維持することができるものであれば、周知のどのような構造を採用しても実施可能である。例えば、ヒンジ部やリング機構を設けて油圧などの流体圧を利用して角度調整を可能としてもよく、また、流体圧に代え電動機により角度調整を可能としても実施可能である。勿論手動によって、角度を変える周知のリクライニング構造ｎを採用しても実施可能である。このような構造として、例えば、特許出願２０００−１３７５４３に示されたものを例示することができる。
この背もたれ部２にも、座部１と同様の周知のマッサージ手段ｍを採用する。この実施の形態では、座部１に対応して空気圧によるマッサージ手段ｍを採用してある。
【００１９】
脹はぎ対応部４は、上記の座部１の前部に設けられた板状体である。脹はぎ対応部４の基端４１（後端）側は、回動軸４０を備える。脹はぎ対応部４の基端４１側は、この回動軸４０にて、座部１の座面１０前部に対して、回動可能に固定されている。当該回動により、脹はぎ対応部４の先端４２側を下方に向けた状態（図１（Ａ）及び図２（Ａ））から椅子前方に向けた状態（図１（Ｂ）及び図２（Ｂ））に変位させることが可能である。
板状の脹はぎ対応部４は、その先端を４２側を下方に向けたとき（図１（Ａ）及び図２（Ａ））、その表面が前面をなし、裏面が後面をなすものである。
脹はぎ対応部４は、この前面に、座部１や背もたれ部２と同様のマッサージ手段ｍを備える。
【００２０】
脛隠し部３は、脹はぎ対応部４の先端に設けられ、脹はぎ対応部４の先端を４２側を下方に向けたとき、脹はぎ対応部４の前面よりも前方に位置する板状体である。
具体的には、膝隠し部３と脹はぎ対応部４との間には、パイプ状の間隔保持部材５，５が設けられ、この間隔保持部材５，５を介して、膝隠し部３は、脹はぎ対応部４に固定され、脹はぎ対応部４と一体となっている。これにて、膝隠し部３は、脹はぎ対応部４と一体となって回動する。間隔保持部材５，５は、脹はぎ対応部４の先端４２に設けられ、脹はぎ対応部４の先端４２側を下方に向けたとき、脹はぎ対応部４の下端（先端４２左右の角）より前方に伸び、その先端を上方に向けている。この間隔保持部材５，５の先端に膝隠し部３の基端３１が取り付けられている。間隔保持部材５，５は、脹はぎ対応部４と膝隠し部３との間に、利用者ｐの足を差し入れることが可能な間隔を保持する。
【００２１】
膝隠し部３は、少なくとも自重によって変形しない程度の自立性を備えた板状体であり、脹はぎ対応部４の先端を４２側を下方に向けたとき（図１（Ａ）及び図２（Ａ））、その表面３ａが前面をなし、裏面３ｂが後面をなす。
膝隠し部３は、この後面（裏面３ｂ）に、座部１や背もたれ部２、脹はぎ対応部４と同様のマッサージ手段ｍを備える。
図２（Ａ）へ示す通り、脹はぎ対応部４の先端を４２側を下方に向けたとき、膝隠し部３の上端（先端３２）は、座部１の座面１０よりも上方に位置する。具体的には、膝隠し部３の上端（先端３２）は、少なくとも脹はぎ対応部４の先端を４２側を下方に向けたとき、座部１の座面１０前部に設けられた上記の回動軸４０よりも、上方に位置する。即ち、膝隠し部３は、上下方向（鉛直方向）について、脹はぎ対応部４基端４１の回動軸４０よりも、上方に位置する部位ｗを有する。図２（Ａ）へ示す通り、上記の部位ｗが、椅子正面側から利用者ｐのスカートの中が覗かれるのを遮る、目隠し部（以下上記の部位ｗを目隠し部ｗと呼ぶ。）を構成する。
【００２２】
脹はぎ対応部４も、背もたれ部２と同様、周知のリクライニング構造ｎを介して、座部１に対し、角度調整可能に、取り付けられている。
脹はぎ対応部４の当該リクライニング構造ｎは、脹はぎ対応部４について、図１（Ａ）及び図２（Ａ）に示す利用者ｐの曲げた足に対応すべく起立する状態から、図１（Ｂ）及び図２（Ｂ）に示す利用者ｐの伸ばした足に対応すべく寝かされた（ほぼ水平にされた）状態の、少なくとも２種の状態を選択することができるものを用いる。
脹はぎ対応部４を上記の通り、寝かされた状態とする（先端４２を座部１座面１０の前方に向ける）ことによって、図２（Ｂ）へ示すように、上記の脛隠し部３も寝かされた状態（前面３ａを上方へ向けた状態）となり、膝隠し部３の後面３は座面１０と対向する。このとき、膝隠し部３の目隠し部ｗは、椅子の前後方向（水平方向）について、上記の脹はぎ対応部４基端４１の回動軸４０よりも、後方に位置することとなる。これにて、膝隠し部３の後面３ｂ（目隠し部ｗの裏面）は、利用者ｐの太ももの上部（利用者ｐが起立した際の太もも正面）と対応する。
上記の膝隠し部３の配置によって、少なくとも太ももの上部（利用者ｐが起立した際の太もも正面）を、膝隠し部３が備えるマッサージ手段ｍによって、マッサージすることができる。マッサージ手段ｍに空気圧を利用したもの（複数のエアバッグを伸縮させるもの）採用することによって、マッサージ手段ｍの伸縮により、太ももの側面もマッサージすることができる。
【００２３】
膝隠し部３のマッサージ手段ｍとして、上記の通り空気圧を利用したものを採用する場合、エアの供給源を備える座部１から脹はぎ対応部４に供給されるエア（空気の供給）の一部を、膝隠し部３内へ導く。
具体的には、図３（Ａ）へ示す通り、間隔保持部材５に中空のパイプを採用し、この間隔保持部材５内に、エア供給用のチューブ５５（エアホース）を通して、脹はぎ対応部４から膝隠し部３へ空気を導く。
この実施の形態において、間隔保持部材５は、第１パイプ５０と第２パイプ５１の２つのパイプを接続することによって形成されている。第１パイプ５０は脹はぎ対応部４に設けられ、第２パイプ５１は膝隠し部３に設けられている。両パイプ５０，５１については、その一方が他方の内部に収容された状態にして接続される。
上記のチューブ５５は、第１パイプ５０に収容される第１チューブ５６と、第２パイプ５１に収容される第２チューブ５７とを接続するによって形成される。第１チューブ５６と第２チューブ５７の夫々の接続端には、雄ネジが形成されている。両チューブ５６，５７と別体に形成され且つ内周面に雌ネジが形成された筒状体５８を、上記両雄ネジと螺合することにより、第１チューブ５６と第２チューブ５７の接続を行うことができる。
【００２４】
両パイプ５０，５１のうち、他方のパイプの外側に配置されるものにはネジ等の留め具５３を挿通することが可能な貫通孔５３が設けられており、内側に配置されるパイプには留め具５３と螺合することが可能なネジ穴５４が複数設けられている。ネジ穴５４…５４は、夫々パイプの長手方向に沿って配列されている。上記のパイプ５０，５１を繋ぎ、留め具５３を間通孔５３へ通すと共に、留め具５３をネジ穴５の何れかに螺合することにより、一つの間隔保持部材５の組み立て、膝隠し部３と脹はぎ対応部４と接続を完了することができる。当該接続に際して、上記ネジ穴５４…５４を選択することにより、間隔保持部材５の長さを選択することができ、膝隠し部３と脹はぎ対応部４との間の間隔を選べ、利用者ｐの足の太さに合わせることができる。
【００２５】
上記の実施の形態において、膝隠し部３に、第１パイプ５０を膝隠し部３に対してスライド可能に収容する収容部を設け、当該収容部内第１パイプ５０を収容してネジ留めすることにより（図示しない）、膝隠し部３を第１パイプ５０に固定するのが好ましい。これにより、上記のスライドにて、寝かせた状態（図２（Ｂ））の膝隠し部３の、前後方向についての位置調整を可能とすることができるからである。
また、前述の膝隠し部３の前面３ａを平らに形成することによって、膝隠し部３を寝かせた状態（図２（Ｂ））としたとき、膝隠し部３（の前面３ａ）をテーブル或いは机として利用することができる。このように膝隠し部３の前面３ａを利用する場合に、当該前面３ａ上に載せた物が落ちないように、前面３ａの先端側に隆起部３３を形成して実施するのが好ましい。
【００２６】
上記の膝隠し部３の前後方向へのスライドの手段については、上記の収容部を設けておくものに限定するものではなく、他の実施の手段を採用して実施することが可能である。
例えば、図３（Ｂ）へ示すように、間隔保持部材５をＬ字型に形成して、間隔保持部材５の先端を膝隠し部３の左右側面に沿わせる。この間隔保持部材５の当該膝隠し部３の左右に位置する部位にはレールを形成しておき、膝隠し部３に当該レール内に収容される突起部（図示しない。）を設けて、当該突起部を上記レールでガイドすることにより、上記のスライドを実現するものとしてもよい。この場合不要なときにスライドさせないように、位置決め後、その位置を維持するための、ネジ等の留め具５ｂを別途に設けるのが好ましい。
【００２７】
緊急時など、利用者ｐが速やかに膝隠し部３を足から離すことを望む場合がある。図４及び図５を用いて、このような場合に対応可能な実施の形態について説明する。このマッサージ椅子には、膝隠し部３の解除機構６が設けられている。図４は椅子の前方を示す一部切欠斜視図であり、図５は上記解除機構６の分解斜視図である。
この解除機構６は、膝隠し部３の基端３１を間隔保持部材５に軸止する軸６１，６１と、膝隠し部３の内部に設けられた揺動杆６２，６２と、膝隠し部３内部に設けられ揺動部６２を揺動可能に軸止する支点部６３，６３と、間隔保持部材５，５に設けられた係止凹部６４，６４とを備える。膝隠し部３の内部は、揺動杆６２，６２を収容する収容空間を備える。膝隠し部３は、上記軸６１，６１以外で、間隔保持部材５と接続された部位は持たない。即ち、膝隠支部３は、軸６１，６１にて回動可能に、間隔保持部材５へ、固定されている。
【００２８】
揺動杆６２は、夫々、その基端６２ａを膝隠し部３の基端３１に向け、その先端６２ｂを膝隠し部３の先端３２に向けて配置されたものであり、揺動杆６２の当該基端６２ａと先端６２ｂとの間を上記支点部６３が、膝隠し部３に軸止する。詳しくは、支点部６３は、図５へ示す通り、膝隠し部３の内部へ取り付けられた冶具６３ａに、ピン或いはボルトなどの軸止手段６３ｂによって、揺動杆６２を軸止する。
図４へ示す通り、揺動杆６２の基端は、上記軸６１よりも膝隠し部３の先端３２側に位置すると共に、係止凹部６４に対応する係止凸部６５が設けられている。揺動杆６２の先端には把手６６が設けられている。把手６６，６６は、膝隠し部３の左右側面から先端部６６ａを外部へ露出させている。６７は、膝隠し部３の側面３ｃに設けられた把手６６先端部６６ａの露出用孔を示している。
膝隠し部３の内部には、バネ等の弾性体６８が設けられ、揺動杆６２の先端が常時係止凹部６４へ近接するよう、弾性体６８は揺動杆６２を付勢する。これによって、外部から力が加わらない限り、係止凸部６５は、係止凹部６４に挿入された状態を維持し、膝隠し部３の軸６１，６１を中心とする上記の回動は阻止されている。このような状態において、把手６６の先端６６ａを掴んで、上記弾性体６８の付勢に抗して把手６６を引っ張ることにより、支点部６３を中心として、揺動杆６２を揺動させ、係止凸部６５を係止凹部６４から引き出すことができる。これにて、利用者ｐは、膝隠し部３を軸６１，６１を中心として回動させて、足から離すことができる。
【００２９】
上記の図１〜図５に示す実施の形態において、脹はぎ対応部４の先端を下方に向けた状態（脹はぎ対応部４を立てた状態）のとき、左右の間隔保持部材５，５の間に両足を通すものであった。
この他、図８及び図９へ示すように、間隔保持部材５を、脹はぎ対応部４の先端４２中央と膝隠し部３の基端３１中央との間に１本のみ配設するものとしても、即ち、両足の間に当該間隔保持部材５を配置するものとしても実施可能である。尚、この場合、図９（Ａ）（Ｂ）へ示すように、膝隠し部３の後面３ｂへ、当該後面３ｂに沿って、膝隠し部３ａの基端と先端との間をスライド可能な、スライド板ｍ１を取り付け、マッサージ手段ｍの一部を、このスライド板ｍ１に設けて実施することが可能である。これにて、図９（Ａ）へ示す通り、膝隠し部３を寝かせた状態としたとき、膝隠し部３のマッサージ手段ｍの一部（一部のエアバッグ）を、太ももの付け根側へ寄せることができ、太ももをより広範囲にマッサージすることができる。
【００３０】
上記の図１〜図５、図８及び図９に示すに示す実施の形態において、脹はぎ対応部４の先端を下方に向けた状態（脹はぎ対応部４を立てた状態）のとき、足裏を、床に直接着けるものであった。
この他、図６（Ａ）（Ｂ）に示すように、膝隠し部３及び脹はぎ対応部４の回動に伴って、足裏が、床に触れたり離れたりする違和感や足裏へのショックを避けるために、足載置部材７を設けて実施することも可能である。この足載置部７は、足載せ部７１と、背部７２とを備えた側面視Ｌ字型の部材であり、椅子（脹はぎ対応部４）とは、別体に形成されている。足載せ部７１は、足裏と直接対応する部位であり、背部７２は、脹はぎ対応部４に対して、スライド可能に係止される。これにて、足載せ部７１の位置を調節することができる。この係止の手段については、特に図示しないが、例えば、脹はぎ対応部４の内部に、脹はぎ対応部４の先端４２にて開口し且つ当該背部７２を収容可能な収容部を形成し、当該収容部に背部７２を収容し、背部７２を脹はぎ対応部７１へネジ留めするものとして実施することができる。この場合、収容部から引き出す幅を調整することによって、足載せ部７１の位置を調節し、ネジ留めにてその調節後の位置を維持する。背部７２の係止の手段として、上記以外の手段を採用して実施することも可能である。
上記の足載せ部７１に周知の足裏マッサージの手段を設けて実施すれば、他のマッサージと友に足裏のマッサージも行え、便利である（図示しない）。
【００３１】
この図６に示す実施の形態において、肘掛部１１は、上面の内側と外側（上面左右）に、肘掛部１１から腕が落ちないように、上方へ突出する当たり部１１ａ，１１ｂが設けられている。この当たり部１１ａ，１１ｂについて、例えば、内側の当たり部１１ａをヒンジ部（図示せず。）を介して肘掛部１１に固定し、不要なときは折り畳んでおけるものとするのが好ましい。
【００３２】
また、図７（Ａ）へ示すように、図１〜図６に示す実施の形態の間隔保持部材５を、足載せ部として形成して実施してもよい。即ち、脹はぎ対応部４と間隔保持部材５と膝隠し部３とを一体のポケット状に形成して足の膝から下の部分全体を収容するものとしても実施可能である。
この場合、図７（Ｂ）へ示す通り、間隔保持部５の後部は、膝隠し部３の後面と対向する背板５ａを備える。そして、脹はぎ対応部４は、この背板５ａをスライド可能に収容する収容空間部４ａを備える。収容空間部４ａへ収容した背板５ａについて、収容空間部４ａから引き出す幅を変えることによって、間隔保持部５の脹はぎ対応部４に対する位置を調整することが可能であり、調整後ネジ留め等の周知の固定手段（図示しない。）により、調整した位置を固定する。
間隔保持部材５が不意に脹はぎ対応部４から脱落したりしないよう、上記のスライドを安定して確実に行うためのガイド手段ｅを設けて実施するのが好ましい。このガイド手段ｅとしては、例えば、断面視Ｃ字型のレールを、スライド方向に沿って、背板５ａの後面とふくら脛対応部４の前面の、双方に設ける。そして、一方のレールに他方のレールを摺動自在に収容して、スライド方向へのガイドを行うものとしても実施することができる。スライドにて位置調整した後は、上記の固定手段にて位置を固定すればよい。
間隔保持部５は、足裏を載せる部位に、マッサージ手段ｍが設けられている。この足裏に設けられたマッサージ手段ｍも、当該椅子の他の部位に設けられたマッサージ手段ｍと同様のものを採用して実施することができる。
また、この場合、脹はぎ収容部４の回動に伴って、間隔保持部５が床と接触して大きな振動や大きな音を立てないように、間隔保持部５の底部へ、キャスタ５ｂを設けて実施するのが好ましい。図６に示す実施の形態においても、このようなキャスタを足載置部７に設けて実施することができる。
【００３３】
上述してきた各実施の形態において、膝隠し部３は、脹はぎ対応部４を支持部材とし、当該脹はぎ対応部４を介して座部１に支持されたものであった。
即ち、図１〜図９へ示す実施の形態では、脹はぎ対応部４に、膝隠し部３が設けられ、脹はぎ対応部４が支持部材として、膝隠し部３を支持するものであった。
この他、膝隠し部３は、脹はぎ対応部４と独立して座部１に設けても実施可能である。
図１０及び図１１を用いて、このような実施の形態について、説明する。
図１０（Ａ）（Ｂ）及び図１１（Ａ）へ示すように、このマッサージ椅子において、膝隠し部３は、脹はぎ対応部４とは別個に形成されたものであり、図１〜図８に示す実施の形態のように、直接脹はぎ対応部４に設けられたり間隔保持部材５に設けられたりしたものではない。即ち、脹はぎ対応部４と別個に座部１へ設けられた支持部材８に、膝隠し部３が、設けられている。
支持部材８については、脹はぎ対応部４と同様、その基端が座部１の座面１０前部に軸止されている。支持部材８の先端には膝隠し部３が固定されている。この実施の形態では、脹はぎ対応部４は、左右２つに分離した状態に配設されている（脹はぎ対応部４は、座部１の座面１０前部に２つ設けられている）。左右両脹はぎ対応部４の間には、支持部材８を収容することが可能な間隔ｔがあけられている（図１０（Ｂ））。
【００３４】
支持部材８の基端の軸止部分は、脹はぎ対応部４の回動軸４０と同軸（前後上下について同じ位置）に配置されている。
支持部材８は、両はぎ対応部４，４の間に配置され、上記の通り、座部１に軸止されているのである。
図１１（Ｂ）へ示す通り、支持部材８は、側面視略Ｕ字型のバーである。具体的には、支持部材８は、この側面視略Ｌ字型の基体８０と、側面視略Ｌ字型の先端部８１とを備え、基体８０の先端へ、先端部８１の基端をスライド可能に接続することにより、上記のＵ字型を形成する。図１１（Ｂ）へ示す通り、基体８０の先端は、中空に形成された先端部８１の基端内部に差し込まれる。基体８０の先端には、ガイド用長孔８４が設けられ、先端部８１の基端内部に設けられたガイドピン８５がこのガイド長孔８４内に収容されて、上記スライドをガイドする。上記のスライドにて、基体８０の基端と、先端部８１の先端との間の間隔を調整することができる。そして、調整後の当該間隔を維持するための固定手段を設けて実施する。この固定手段について、別途のピンの挿入等周知の手段（図示しない。）を採用することによって、実施することができる。
【００３５】
基体８０の基端には、回動用軸部８２が設けられており、当該回動用軸部８２にて、基体８０の基端は、上記の通り、座部１の座面１０の前部に軸止されている。そして、上記先端部８１に、膝隠し部３が取り付けられている。
支持部材８は、脹はぎ対応部４や背もたれ部２と同様、リクライニング構造を用いて座部１に固定されており、膝隠し部３を起立させた状態（図１０（Ａ）に示す状態）と膝隠し部３を寝かせた状態（図１０（Ｂ）に示す状態）の少なくとも２種の状態を選択することができる。
膝隠し部３は、上記の先端部８１に対して、スライド可能に取り付けられている。このスライドについては、膝隠し部３の基端３１側に開口する内部空間を膝隠し部３に設けて、この内部空間内に、上記先端部８１を差し込むことによって、実現する。詳しくは、この先端部８１には、レール部８３が形成されており、膝隠し部３の内部には、このレール部８３にてガイドされるガイド部３ｄを設けておく。例えばガイド部３ｄは、図１１（Ｂ）へ示すように、ガイドローラ３ｅを備え、このガイドローラｅが、上記のレール部８３に案内されて、図１０（Ｂ）及び図１１（Ａ）に示す膝隠し部３を寝かせた状態としたときの前後方向について、膝隠し部３をスライド可能とするのである。
また支持部材８（の基体８０）には、左右の脹はぎ対応部４と一体とするための係止部材８６が設けられている。この係止部材８６は、ハンドル８６ａを備える。利用者が当該ハンドル８ａを操作することによって、係止部材８６は左右に突出して、脹はぎ対応部４の後面に対応する。
尚、この実施の形態において、当たり部１１ｂ，１１ｂには、利用者ｂが、体を安定させるために、掴むことが可能な握り部１１ｃ，１１ｃが設けられている。但し不要であれば、このような握り部１１ｃ，１１ｃは、設けずに実施することが可能である。
【００３６】
図１０（Ａ）に示す通り、脹はぎ対応部４が起立した状態において、支持部材８にて膝隠し部３も起立した状態に支持される。
一方、図１０（Ｂ）に示す通り、脹はぎ対応部４が起立した状態にしたまま、支持部材８を回動することによって膝隠し部３のみを寝かせた状態とすること（太ももの上に配置すること）ができる。このとき、膝隠し部３を支持部材８に対してスライドさせて、膝隠し部３の前後の位置を調整することができる。また、膝隠し部３を寝かせた後から、脹はぎ対応部４を回動させて、図１１（Ａ）に示す通り、膝隠し部３と脹はぎ対応部４の双方を寝かせた状態とすることができる。勿論、他の実施の形態と同様、係止部材８６を突出させるなどして、当初より、膝隠し部３と脹はぎ対応部４とを一体に持ち上げるものとしても実施可能である。
尚、寝かせた状態の膝隠し部３を起立させる場合は、同時に、脹はぎ対応部４も起立される必要があるので、この場合は両者を一体にして回動する。
【００３７】
上記の各実施の形態において、座部１、背もたれ部２、膝隠し部３及び脹はぎ対応部４が備えるマッサージ手段ｍは、何れも同種のもの（例えば何れも空気圧を利用したもの）を採用するものとしたが、各部において、異種のマッサージ手段を採用するものとして実施することが可能である。例えば、座部１と背もたれ部２とにはローラ転動式のものを採用し、膝隠し部３と脹はぎ対応部４とには空気圧を利用したものを採用することができる。
また、背もたれ部２と脹はぎ対応部４に設けられたリクライニング構造についても、背もたれ部２と脹はぎ対応部４とで同種のものを採用してもよいし、異なるものを採用してもよい。
尚、図３（Ｂ）〜図１１の各実施の形態において、特に言及していない事項については、図１〜図３（Ａ）に示す実施の形態と同様である。
【００３８】
最後にこのマッサージ椅子について、総括する。
このマッサージ椅子は、座部１と、座部１後方に設けられた背もたれ部２とを備え、当該座部１と背もたれ部２の少なくとも何れか一つにマッサージ手段が設けられたものである。このマッサージ椅子は、座部の前方に配位せしめた後部材と、後部材の前方に後部材に対し間隔をあけて配位せしめた前部材とを備える。前部材と後部材の夫々の基端部は、座部の座面前部に対して回動可能に固定され、当該回動により、前部材と後部材の夫々の先端部を下方に向けた状態から椅子前方に向けた状態に変位させることが可能である。前部材は、その後面にマッサージ手段を備える。上記の後部材を、上述のふくら脛対応部４或いは支持部材８として実施することができる。また、上記の前部材の上下の高さや前後の長さについては、特に制限はない。但し、前部材の上端が座部の座面よりも上方に位置するように形成することによって、前部材を上記の膝隠し部３として実施することができる。
特に、膝隠し部３（前部材）の後面のマッサージ手段ｍにより、膝の前方側から、足にマッサージを施した場合、当該マッサージの押圧や振動にて、足（膝下）が後方に押されて膝隠し部３から離れる危惧があるが、上記のふくら脛対応部４（後部材）にて、足が抑えられ、膝隠し部３から後方へ足が離れることを防ぐ。即ち、ふくら脛対応部４は、膝隠し部３のマッサージ手段によるマッサージの際、足の当たりとなる。
逆に、ふくら脛対応部４（後部材）のマッサージ手段ｍにより、膝の裏側から、足にマッサージを施した場合、当該マッサージの押圧や振動にて、足（膝下）が前方に押されてふくら脛対応部４から離れる危惧があるが、上記の膝隠し部３（前部材）にて、足が抑えられ、ふくら脛対応部４から後方へ足が離れることを防ぐ。即ち、膝隠し部３は、ふくら脛対応部４のマッサージ手段によるマッサージの際、足の当たりとなる。
即ち、膝隠し部３とふくら脛対応部４（前部材と後部材）とは、両者の間に足を挟むことによって、双方のマッサージ手段ｍ，ｍを確実に足に当てることができるものである。
【図面の簡単な説明】
【００３９】
【図１】（Ａ）は本願発明の一実施の形態に係るマッサージ椅子の全体斜視図であり、（Ｂ）はこのマッサージ椅子の脹はぎ対応部４を寝かせた状態とした全体斜視図である。
【図２】（Ａ）は図１（Ａ）の略側面図であり、（Ｂ）は図１（Ｂ）の略側面図である。
【図３】（Ａ）は上記マッサージ椅子の間隔保持部材５の一部切欠分解斜視図であり、（Ｂ）は膝隠し部３と間隔保持部材５の他の実施の形態を示す要部斜視図である。
【図４】膝隠し部３と間隔保持部材５の他の実施の形態を示す一部切欠要部斜視図である。
【図５】図４に示すマッサージ椅子の解除機構６の分解斜視図である。
【図６】（Ａ）はマッサージ椅子の他の実施の形態を示す全体斜視図であり、（Ｂ）は（Ａ）のマッサージ椅子の脹はぎ対応部４を寝かせた状態とした全体斜視図である。
【図７】（Ａ）はマッサージ椅子の更に他の実施の形態を示す全体斜視図であり、（Ｂ）はその要部説明図である。
【図８】（Ａ）はマッサージ椅子のまた他の実施の形態を示す全体斜視図であり、（Ｂ）は（Ａ）のマッサージ椅子の脹はぎ対応部４を寝かせた状態とした全体斜視図である。
【図９】（Ａ）は更にまた他の実施の形態を示す略全体側面図であり、（Ｂ）はその要部斜視図である。
【図１０】（Ａ）はまた更に他の実施の形態を示す全体斜視図であり、（Ｂ）は（Ａ）の膝隠し部３を寝かせた状態を示す全体斜視図である。
【図１１】（Ａ）は図１０に示すマッサージ椅子について、膝隠し部３と友に脹はぎ対応部４も寝かせた状態を示す全体斜視図であり、（Ｂ）はその要部分解斜視図である。
【符号の説明】
【００４０】
１  座部
２  背もたれ部
３  膝隠し部
４  脹はぎ対応部
５  間隔保持部材
１０  座面
【図１】
2005034544.tif 000003
【図２】
2005034544.tif 000004
【図３】
2005034544.tif 000005
【図４】
2005034544.tif 000006
【図５】
2005034544.tif 000007
【図６】
2005034544.tif 000008
【図７】
2005034544.tif 000009
【図８】
2005034544.tif 000010
【図９】
2005034544.tif 000011
【図１０】
2005034544.tif 000012
【図１１】
2005034544.tif 000013